(57)【要約】【課題】色ずれ補正の実行頻度を低減することができるレーザ方式の画像形成装置を提供すること。【解決手段】画像形成装置は、レーザ光源から光学系を経由して出力されるレーザビームを感光体ドラムに導く光学ユニットと、画像形成時の色ずれを補正する色ずれ補正手段と、光学ユニットの内部温度を検出する温度検出手段と、光学ユニットの内部が色ずれ補正手段で色ずれ補正を実行した際に温度検出手段で検出された温度に保たれるよう温度制御手段を使って温度調整を行う温度調整手段とを備える。【選択図】図１
2011033753.tif 000002
【特許請求の範囲】
【請求項１】
レーザ光源および光学系を有し、前記レーザ光源から前記光学系を経由して出力されるレーザビームを感光体ドラムに導く光学ユニットと、
画像形成時の色ずれを補正する色ずれ補正手段と、
前記光学ユニットの内部のユニット内部温度を検出する温度検出手段と、
前記ユニット内部温度を制御する温度制御手段と、
前記光学ユニットの内部が前記色ずれ補正手段で色ずれ補正を実行した際に前記温度検出手段で検出された前記ユニット内部温度に保たれるよう前記温度制御手段を使って温度調整を行う温度調整手段と
を備えたことを特徴とする画像形成装置。
【請求項２】
前記温度調整手段は、前記色ずれ補正手段で色ずれ補正を実行した際のユニット内部温度と、前記温度制御手段を使って前記ユニット内部温度の温度調整を行う調整時点のユニット内部温度との差から調整量を算出し、
前記調整時点のユニット内部温度の方が低い場合は前記調整量に基づき前記温度制御手段を使ってユニット内部温度を上昇させるように調整し、
前記調整時点のユニット内部温度の方が高い場合は前記調整量に基づき前記温度制御手段を使ってユニット内部温度を下降させるように調整することを特徴とする請求項１記載の画像形成装置。
【請求項３】
前記温度調整手段は、前記色ずれ補正手段で色ずれ補正を実行した際のユニット内部温度と前記調整時点のユニット内部温度との差に、前回、前記光学ユニット内部の温度調整を行った調整時点から、今回、前記光学ユニット内部の温度調整を行う前記調整時点までの前記ユニット内部温度の変化量を加味して調整量を算出することを特徴とする請求項２記載の画像形成装置。
【請求項４】
前記温度調整手段は、前記光学ユニット内部のポリゴンモータを駆動し、前記ポリゴンモータから発せられる熱で前記ユニット内部温度を上昇させることを特徴とする請求項１から３のいずれか１項に記載の画像形成装置。
【請求項５】
前記温度調整手段は、前記光学ユニット内部の熱を吸引する光学ユニットファンを回転し前記光学ユニット内部の熱を前記光学ユニットと装置外とを結ぶ風路となる暖気排出ダクトから装置外に排出させることで、前記ユニット内部温度を下降させることを特徴とする請求項１から４のいずれか１項に記載の画像形成装置。
【請求項６】
前記温度調整手段は、用紙に形成された画像を定着させる定着部の熱を吸引する定着部ファンを回転し前記定着部で発せられる熱を前記定着部と前記光学ユニットとを結ぶ風路となる暖気循環ダクトを介して前記光学ユニット内部に循環させることで、前記ユニット内部温度を上昇させることを特徴とする請求項１から５のいずれか１項に記載の画像形成装置。
【発明の詳細な説明】
【技術分野】
【０００１】
本発明は、画像形成装置における色ずれ補正の技術に関する。
【背景技術】
【０００２】
レーザ方式の画像形成装置は、レーザ光源、ポリゴンミラー、レンズ等を含む書込みユニットを備え、書込みユニットはレーザ光源から光学系を経由して出力されるレーザビームを感光体ドラムに導くことで画像を形成する。
【０００３】
ここで、ポリゴンミラーはポリゴンモータにより駆動されるが、ポリゴンモータは発熱するため、熱の蓄積と放射により書込みユニット内の温度が変化し、光学系の温度特性によって、レーザビームの照射位置（画像形成位置）がずれてしまうという問題が発生する。
【０００４】
特に複数のレーザビームを用いてカラー画像を形成する画像形成装置においては、このようなずれが色ずれとなって現れ画質を大きく劣化させてしまう。
【０００５】
そこで、ポリゴンモータを冷却し、書込みユニット内の温度変化を低減することで、照射位置精度の向上を図るようにした技術が考えられ既に知られている。
【０００６】
特許文献１には、書込みユニット内の温度ムラに起因して生じる問題の発生を低減する目的で、ポリゴンモータから発せられる熱や光走査装置外から取り込む熱を書込みユニット内全体に循環させることにより、書込みユニット内の温度を調整する構成が開示されている。
【発明の概要】
【発明が解決しようとする課題】
【０００７】
しかし、今までの書込みユニット内の温度変化を低減する装置では、書込みユニット内の温度を下げることしか考えられていなかった。ポリゴンモータは回転数に応じて発熱量も大きくなるため、冷却効果が十分に得られない状況も容易に想定できる。
【０００８】
そのような場合、色ずれを検知するための基準となるパターンを形成し、検出された色ずれ量に応じて各色のレーザビームの照射位置を補正する色ずれ補正が必要となる。光学系の温度特性に起因するレーザビームの照射位置のずれによる色ずれ量は、書込みユニット内の温度と相関があるため、色ずれ補正を行った後も、書込みユニット内の温度を下げてしまうと、再度色ずれが発生してしまうことになる。
【０００９】
本発明は上述のごとき実情に鑑みてなされたもので、その目的は、色ずれ補正の実行頻度を低減することができるレーザ方式の画像形成装置を提供することにある。
【課題を解決するための手段】
【００１０】
請求項１に記載の発明は、レーザ光源および光学系を有し、レーザ光源から光学系を経由して出力されるレーザビームを感光体ドラムに導く光学ユニットと、画像形成時の色ずれを補正する色ずれ補正手段と、光学ユニットの内部のユニット内部温度を検出する温度検出手段と、ユニット内部温度を制御する温度制御手段と、光学ユニットの内部が色ずれ補正手段で色ずれ補正を実行した際に温度検出手段で検出されたユニット内部温度に保たれるよう温度制御手段を使って温度調整を行う温度調整手段とを備えたことを特徴とする画像形成装置である。
【００１１】
請求項２に記載の発明は、請求項１記載の画像形成装置において、温度調整手段は、色ずれ補正手段で色ずれ補正を実行した際のユニット内部温度と、温度制御手段を使ってユニット内部温度の温度調整を行う調整時点のユニット内部温度との差から調整量を算出し、
調整時点のユニット内部温度の方が低い場合は調整量に基づき温度制御手段を使ってユニット内部温度を上昇させるように調整し、
調整時点のユニット内部温度の方が高い場合は調整量に基づき温度制御手段を使ってユニット内部温度を下降させるように調整することを特徴とする。
【００１２】
請求項３に記載の発明は、請求項２記載の画像形成装置において、温度調整手段は、色ずれ補正手段で色ずれ補正を実行した際のユニット内部温度と調整時点のユニット内部温度との差に、前回、光学ユニット内部の温度調整を行った調整時点から、今回、光学ユニット内部の温度調整を行う調整時点までのユニット内部温度の変化量を加味して調整量を算出することを特徴とする。
【００１３】
請求項４に記載の発明は、請求項１から３のいずれか１項に記載の画像形成装置において、温度調整手段は、光学ユニット内部のポリゴンモータを駆動し、ポリゴンモータから発せられる熱でユニット内部温度を上昇させることを特徴とする。
【００１４】
請求項５に記載の発明は、請求項１から４のいずれか１項に記載の画像形成装置において、温度調整手段は、光学ユニット内部の熱を吸引する光学ユニットファンを回転し光学ユニット内部の熱を光学ユニットと装置外とを結ぶ風路となる暖気排出ダクトから装置外に排出させることで、ユニット内部温度を下降させることを特徴とする。
【００１５】
請求項６に記載の発明は、請求項１から５のいずれか１項に記載の画像形成装置において、温度調整手段は、用紙に形成された画像を定着させる定着部の熱を吸引する定着部ファンを回転し定着部で発せられる熱を定着部と光学ユニットとを結ぶ風路となる暖気循環ダクトを介して光学ユニット内部に循環させることで、ユニット内部温度を上昇させることを特徴とする。
【発明の効果】
【００１６】
本発明によれば、色ずれ補正の実行頻度を低減することができる。
【図面の簡単な説明】
【００１７】
【図１】本発明の第一の実施形態に係る画像形成装置の概略構成について説明する図である。
【図２】本発明の第一の実施形態に係る画像形成装置の基本的な電気的構成について説明する図である。
【図３】本発明の第一の実施形態に係る画像形成装置の機能ブロック図である。
【図４】本発明の第一の実施形態に係る処理動作を示したフローチャートである。
【図５】本発明の第一の実施形態に係る書込みユニット温度調整制御動作について説明する図である。
【図６】本発明の第二の実施形態に係る画像形成装置の概略構成について説明する図である。
【図７】本発明の第二の実施形態に係る処理動作を示したフローチャートである。
【図８】本発明の第三の実施形態に係る画像形成装置の概略構成について説明する図である。
【図９】本発明の第三の実施形態に係る処理動作を示したフローチャートである。
【発明を実施するための形態】
【００１８】
本発明の各実施の形態を説明する。具体的には、色ずれ補正後の処理に際して、以下の特徴を有する。要するに、本発明は、色ずれ補正直後の書込みユニット内の温度を検出して目標温度とし、その後、印刷動作等で書込みユニット内の温度が上昇しているときは書込みユニット内を冷却するよう調整し、印刷待機等で書込みユニット内の温度が下降しているときは書込みユニット内を加熱するよう調整することが特徴になっている。
上記特徴について、以下の図面を用いて具体的に解説する。
【００１９】
図１は、本発明の第一の実施形態に係る画像形成装置１の概略構成について説明する図である。
【００２０】
転写ベルト１０５に沿って各色のＡＩＯカートリッジ（１０６Ｂｋ、１０６Ｍ、１０６Ｃ、１０６Ｙ）が並べられた構成を備えるものであり、所謂、タンデムタイプといわれるものである。転写ベルト１０５は図１でいうと反時計回りに回転し、回転方向の上流側から順に、複数のＡＩＯカートリッジ（電子写真プロセス部）１０６Ｂｋ、１０６Ｍ、１０６Ｃ、１０６Ｙが配列されている。これら複数のＡＩＯカートリッジ１０６Ｂｋ、１０６Ｍ、１０６Ｃ、１０６Ｙは、形成するトナー画像の色が異なるだけで内部構成は共通である。ＡＩＯカートリッジ１０６Ｂｋはブラックの画像を、ＡＩＯカートリッジ１０６Ｍはマゼンタの画像を、ＡＩＯカートリッジ１０６Ｃはシアンの画像を、ＡＩＯカートリッジ１０６Ｙはイエローの画像をそれぞれ形成する。
【００２１】
以下の説明では、ＡＩＯカートリッジ１０６Ｂｋについて具体的に説明するが、他のＡＩＯカートリッジ１０６Ｍ、１０６Ｃ、１０６ＹはＡＩＯカートリッジ１０６Ｂｋと同様であるので、その画像形成部１０６Ｍ、１０６Ｃ、１０６Ｙの各構成要素については、画像形成装置１０６Ｂｋの各構成要素に付したＢｋに替えて、Ｍ、Ｃ、Ｙによって区別した符号を図に表示するにとどめ、説明を省略する。
【００２２】
転写ベルト１０５は、回転駆動される２次転写駆動ローラ１０７と転写ベルトテンションローラ１０８とに巻回されたエンドレスのベルトである。この２次転写駆動ローラ１０７は、不図示の駆動モータにより回転駆動させられ、この駆動モータと、２次転写駆動ローラ１０７と、転写ベルトテンションローラ１０８とが、転写ベルト１０５を移動させる駆動手段として機能する。画像形成部１０６Ｂｋは、感光体としての感光体１０９Ｂｋ、この感光体１０９Ｂｋの周囲に配置された帯電器１１０Ｂｋ、書込みユニット１１１、現像器１１２Ｂｋ、クリーナーブレード１１３Ｂｋ、等から構成されている。
【００２３】
書込みユニット１１１は、各ＡＩＯカートリッジ１０６Ｂｋ、１０６Ｍ、１０６Ｃ、１０６Ｙが形成する画像色に対応する露光光であるレーザ光１１４Ｂｋ、１１４Ｍ、１１４Ｃ、１１４Ｙを照射するように構成されている。画像形成に際し、感光体１０９Ｂｋの外周面は、暗中にて帯電器１１０Ｂｋにより一様に帯電された後、書込みユニット１１１からのブラック画像に対応したレーザ光１１４Ｂｋにより露光され、静電潜像を形成される。現像器１１２Ｂｋは、この静電潜像をブラックトナーにより可視像化し、このことにより感光体１０９Ｂｋ上にブラックのトナー画像が形成される。
【００２４】
このトナー画像は、感光体１０９Ｂｋと転写ベルト１０５とが接する位置（一次転写位置）で、一次転写ローラ１１５Ｂｋの働きにより転写ベルト１０５上に転写される。この転写により、転写ベルト１０５上にブラックのトナーによる画像が形成される。トナー画像の転写が終了した感光体１０９Ｂｋは、外周面に残留した不要なトナーをクリーナーブレード１１３Ｂｋにより払拭された後、次の画像形成のために待機する。
【００２５】
以上のように、ＡＩＯカートリッジ１０６Ｂｋでブラックのトナー画像を転写された転写ベルト１０５は、転写ベルト１０５によって次のＡＩＯカートリッジ１０６Ｍに搬送される。ＡＩＯカートリッジ１０６Ｍでは、ＡＩＯカートリッジ１０６Ｂｋでの画像形成プロセスと同様のプロセスにより感光体１０９Ｍ上にマゼンタのトナー画像が形成され、そのトナー画像が転写ベルト１０５上に形成されたブラックの画像に重畳されて転写される。転写ベルト１０５は、さらに次のＡＩＯカートリッジ１０６Ｃ、１０６Ｙに搬送され、同様の動作により、感光体１０９Ｃ上に形成されたシアンのトナー画像と、感光体１０９Ｙ上に形成されたイエローのトナー画像とが、転写ベルト上に重畳されて転写される。こうして、転写ベルト１０５上にフルカラーのトナー画像が形成される。
【００２６】
なお画像形成に際して、ブラックのみの印刷の場合は一次転写ローラ１１５Ｍ、一次転写ローラ１１５Ｃ、一次転写ローラ１１５Ｙは、それぞれ感光体１０９Ｍ、感光体１０９Ｃ、感光体１０９Ｙから離間された位置に退避し、前述の画像形成プロセスをブラックの場合のみ行う。転写ベルト１０５の下方には、給紙トレイ１０１、給紙ローラ１０２、レジストローラ１０３などを有する給紙手段が設けられている。また、２次転写駆動ローラ１０７に対向するように２次転写ローラ１１６を備えている。
【００２７】
ここで、２次転写駆動ローラ１０７は、２次転写ローラ１１６との間に転写ベルト１０５を挟み込んで２次転写ニップを形成している。さらに、２次転写ニップの上方には、定着器１２２、排紙ローラ１１８などを備えている。給紙トレイ１０１は、記録媒体としての用紙１０４を複数枚重ねて収納しており、一番上の用紙１０４には給紙ローラ１０２が当接している。給紙ローラ１０２は、図示しない駆動手段によって回転し、一番上の用紙１０４の先端をレジストローラ１０３に突き当てた状態で回転を一旦停止させる。そして、用紙１０４を適切なタイミングで転写バイアスが印加された２次転写ニップに向けて送り出す。転写ベルト１０５上に形成されたトナー画像は、この２次転写ニップで用紙１０４に転写される。
【００２８】
２次転写ニップを通過した後の転写ベルト１０５には、用紙１０４に転写されなかった転写残トナーが付着している。これは、中転ベルトクリーナによってクリーニングされる。２次転写ニップを通過した用紙１０４は、定着器１２２のローラ間を通過する際の熱と圧力により、表面に転写されたトナー画像が定着される。その後、用紙１０４は、排紙ローラ１１８によって機外へと排出される。
【００２９】
次に、書込みユニット１１１の構成について説明すると、主に各色情報に対応して照射するレーザ光源、レーザ光を主走査方向に偏向させるポリゴンミラー、ポリゴンミラーを回転させるポリゴンモータ２００、レーザ光を感光体方向に偏向させる反射ミラー、書込みユニット内部の温度を検出する温度センサ（図示せず）、書込みユニット内部の熱をダクト２０２を通じて排熱する書込みユニットファン２０１で構成されている。
【００３０】
図２は、本実施形態に係る画像形成装置１の基本的な電気的構成について説明する図である。
【００３１】
この画像形成装置はＣＰＵ１０、画像メモリ２０、Ｉ／Ｏ（入出力部）３０、Ｉ／Ｆ（インターフェース部）４０、ＲＯＭ５０、ＲＡＭ６０、操作パネル７０を備えている。
ＣＰＵ１０はＲＯＭ５０に記憶されたプログラムに従い、画像形成装置を構成する各部を制御する。
画像メモリ２０は印刷データに含まれる画像データを一時的に記憶する。
Ｉ／Ｏ３０は画像形成部やセンサなどの電装品の入出力を制御する。
Ｉ／Ｆ４０は装置とケーブルなどで接続されたパーソナルコンピュータやサーバなどから印刷データやユーザへの問い合せ応答を受け取る。
ＲＯＭ５０は装置全体を制御するためのプログラムを記憶する。
ＲＡＭ６０は装置に関する各種情報を一時的に記憶する。
操作パネル７０はユーザが装置の状態把握や、装置の動作変更を設定するための手段である。
【００３２】
図３は、本実施形態に係る画像形成装置１の機能ブロック図である。色ずれ補正部３−１、温度検出部３−２、加熱部３−３、冷却部３−４および温度調整部３−５を備えている。
色ずれ補正部３−１は、各ＡＩＯカートリッジ１０６Ｂｋ、１０６Ｍ、１０６Ｃ、１０６Ｙが形成する画像色に対応する露光光であるレーザ光１１４Ｂｋ、１１４Ｍ、１１４Ｃ、１１４Ｙを照射する位置（画像形成位置）を補正して画像形成時の色ずれを補正する機能を有している。ＣＰＵ１０により実現されてよい。
温度検出部３−２は、書込みユニット内のユニット内部温度を検出する機能を有している。温度センサにより実現されてよい。
加熱部３−３は、書込みユニット内のユニット内部温度を上昇させる機能を有している。ポリゴンモータ２００により実現されてよい。
冷却部３−４は、書込みユニット内のユニット内部温度を下降させる機能を有している。書込みユニットファン２０１により実現されてよい。
温度調整部３−５は、色ずれ補正部３−１で色ずれ補正を実行した際の書込みユニット内のユニット内部温度を温度検出部３−２で検出し、書込みユニット内がその検出されたユニット内部温度に保たれるよう加熱部３−３および冷却部３−４を使って温度調整を行う機能を有している。ＣＰＵ１０により実現されてよい。
【００３３】
図４は、本実施形態に係る画像形成装置１の書込みユニット温度調整処理について説明する図である。
【００３４】
説明を容易にするため、本処理は電源オン時に開始され、色ずれ補正部３−１により先ず色ずれ補正を実行することを想定する（Ｓ１）。
【００３５】
色ずれ補正終了時（色ずれ補正を実行した際）に温度検出部３−２により書込みユニット内の温度を検出し、書込みユニット目標温度とする（Ｓ２）。
【００３６】
次に書込みユニットの温度を調整する制御シーケンスを実行するが、これは次の色ずれ補正実行タイミングが来るまで繰り返される。書込みユニット温度調整制御シーケンスの詳細については、図５で説明する（Ｓ３）。
【００３７】
色ずれ補正実行タイミングが来た場合は、色ずれ補正を実行するフローに戻る（Ｓ４）。
【００３８】
図５は、本実施形態に係る画像形成装置１の書込みユニット温度調整制御動作について説明する図である。
【００３９】
本制御シーケンスが開始されると、先ず現時点の書込みユニット温度を温度検出部３−２により検出する（Ｓ５）。
【００４０】
次に、図４のＳ２で設定した書込みユニット目標温度と、Ｓ５で検出した書込みユニット温度から、書込みユニットを加熱するか冷却するか温度調整部３−５により判断する（Ｓ６、Ｓ７）。
例えば、以下数式（αは定数）で算出される調整量が正（０以上）であれば要加熱、負であれば要冷却と判定することができる。
調整量＝  α×（書込みユニット目標温度−書込みユニット温度）
この数式で判定すると、書込みユニット温度が書込みユニット目標温度以下であれば要加熱、書込みユニット温度が書込みユニット目標温度を超える場合は要冷却と判定される。
なお、このような制御方法におけるパラメータ調整法として、例えば限界感度法がよく知られている。限界感度法では、先ず比例ゲインαを徐々に大きくしていく実験を行い、ある値α＝α_u(ultimate)以上になると、書込みユニット温度が目標温度を中心に発振する現象が持続することを確認する。この結果から、α＝０．５×α_uとして定数αを求める。
また、別の判定方法として、前回の書込みユニット温度調整制御シーケンスにおいて検出した書込みユニット温度を書込みユニット温度'、前回の書込みユニット温度調整制御シーケンスからの経過時間をΔＴとし、次式（βは定数）で算出される調整量が正（０以
上）であれば要加熱、負であれば要冷却と判定することもできる。
調整量＝  α×（書込みユニット目標温度−書込みユニット温度）＋β×（書込みユニット温度'− 書込みユニット温度）／ΔＴ
この数式で判定すると、書込みユニット温度と書込みユニット目標温度の比較結果だけでなく、書込みユニット温度の変化速度も考慮して加熱と冷却の判断ができるため、書込みユニット目標温度に対するオーバーシュート低減効果がある。
【００４１】
要加熱と判断した場合は、温度調整部３−５により装置が画像形成中であるかを判定する。画像形成中であればポリゴンモータは既に画像形成に必要な回転数で発熱しているため、そのまま本制御シーケンスを終了する（Ｓ８）。
【００４２】
要加熱と判断し、且つ画像形成中で無い場合は、温度調整部３−５によりポリゴンモータを発熱のために回転させる。このときの回転数は、上記のＳ６で算出した調整量とし、ポリゴンモータの発熱によって書込みユニット内が適度に加熱されるようにする（Ｓ９）。
【００４３】
また、要冷却と判断した場合は、温度調整部３−５により書込みユニットファン２０１を回転させ、書込みユニット内部の熱を装置外へ排出させる。このときの書込みユニットファン回転数は、上記のＳ６で算出した調整量とし、書込みユニットファン２０１による冷却によって書込みユニット内が適度に冷却されるようにする（Ｓ１０）。
【００４４】
なお、本実施の形態によれば、不要なトナー消費を低減する効果も期待できる。
【００４５】
図６は、本発明の第二の実施形態に係る画像形成装置２の概略構成について説明する図である。
【００４６】
画像形成装置２の構成は、画像形成装置１の一部を修正したものであるため、同一部分の説明は省略する。画像形成装置２は、定着器で発生した熱を排熱する定着器ファン２０３、その熱を搬送するダクト２０２、ダクトの風路切替を行う仕切弁a２０４、仕切弁b２０５、を備えている。ここで仕切弁a２０４、仕切弁b２０５はそれぞれ、Ｘ−Ｙ、Ｘ‘−Ｙ’に弁を切替えられるものである。仕切弁a２０４をＸ、仕切弁b２０４をＸ‘に切替えると、定着器の熱を書込みユニットに搬送するダクトが形成される。また、仕切弁a２０４をＹ、仕切弁b２０４をＹ‘に切替えると、書込みユニットの熱を装置外に排出するダクトが形成される。
【００４７】
上記の第一の実施形態の図２における加熱部３−３は、定着器ファン２０３により実現されてもよいこととなる。
【００４８】
図７は、本実施形態に係る画像形成装置２の書込みユニット温度調整制御動作について説明する図である。
【００４９】
本処理は、図５の一部を修正したものであるため、同一部分の説明は省略する。
【００５０】
要加熱と判断し、且つ画像形成中で無い場合は、温度調整部３−５により定着器の熱を書込みユニットに循環させるため、仕切弁a２０４をＸ、仕切弁b２０４をＸ‘に切替える（Ｓ１１）。
【００５１】
次に、定着器の熱が書込みユニットに循環する方向に、書込みユニットファン２０１、定着器ファン２０３を回転させるが、その回転量はＳ６で算出した調整量とし、ポリゴンモータの発熱によって書込みユニット内が適度に加熱されるようにする。このときの回転数は、Ｓ６で算出した調整量とし、定着器の熱によって書込みユニット内が適度に加熱されるようにする（Ｓ１２）。
加熱は、定着器内の熱を流入させることで書込みユニット内の温度を上昇させることでも、定着器内の熱を流入させることに加えてさらにポリゴンモータの回転による発熱で書込みユニット内の温度を上昇させることであってもよい。
【００５２】
また、要冷却と判断した場合は、温度調整部３−５により書込みユニットファン２０１を回転させ、書込みユニット内部の熱を装置外へ排出させるため、仕切弁a２０４をＹ、仕切弁b２０４をＹ‘に切替える（Ｓ１３）。
【００５３】
次に、書込みユニット内の熱が装置外に排出される方向に、書込みユニットファンを回転させる（Ｓ１０と同じ）。
【００５４】
図８は、本発明の第三の実施形態に係る画像形成装置３の概略構成について説明する図である。
【００５５】
画像形成装置３の構成は、画像形成装置２の一部を修正したものであるため、同一部分の説明は省略する。画像形成装置３は、定着器で発生した熱を搬送するダクト２０２の風路切替を行う仕切弁a２０４、仕切弁b２０５を備えていない点が異なる。
【００５６】
図９は、本実施形態に係る画像形成装置２の書込みユニット温度調整制御動作について説明する図である。
【００５７】
本処理は、図７の一部を修正したものであるため、同一部分の説明は省略する。
【００５８】
要加熱と判断し、且つ画像形成中で無い場合は、温度調整部３−５により書込みユニットファン２０１（さらに定着器ファン２０３）の回転方向を書込みユニット外部から書込みユニット内部へ送風する方向に設定する（Ｓ１４）。
【００５９】
また、要冷却と判断した場合は温度調整部３−５により書込みユニットファン２０１（さらに定着器ファン２０３）の回転方向を書込みユニット内部から書込みユニット外部へ送風する方向に設定する（Ｓ１５）。
【００６０】
なお、上述する各実施の形態は、本発明の好適な実施の形態であり、本発明の要旨を逸脱しない範囲内において種々の変更実施が可能である。
【符号の説明】
【００６１】
１０２    給紙ローラ
１０３    レジストローラ
１０４    用紙
１０５    転写ベルト
１０６Ｂｋ、１０６Ｍ、１０６Ｃ、１０６Ｙ    ＡＩＯカートリッジ
１０７    ２次転写駆動ローラ
１０８    転写ベルトテンションローラ
１０９Ｂｋ    感光体
１１０Ｂｋ    帯電器
１１１    書込みユニット
１１２Ｂｋ    現像器
１１３Ｂｋ    クリーナーブレード
１１４Ｂｋ、１１４Ｍ、１１４Ｃ、１１４Ｙ    レーザ光
１１５Ｍ    一次転写ローラ
１１６    ２次転写ローラ
１１８    排紙ローラ
１２２    定着器
２００    ポリゴンモータ
２０１    書込みユニットファン
２０２    ダクト
２０３    定着器ファン
【先行技術文献】
【特許文献】
【００６２】
【特許文献１】特開２００５−３１１６０号公報
【図１】
2011033753.tif 000003
【図２】
2011033753.tif 000004
【図３】
2011033753.tif 000005
【図４】
2011033753.tif 000006
【図５】
2011033753.tif 000007
【図６】
2011033753.tif 000008
【図７】
2011033753.tif 000009
【図８】
2011033753.tif 000010
【図９】
2011033753.tif 000011